(57)【要約】      （修正有）【課題】繰出機への誤装着を防止することができるコアを提供する。【解決手段】略円筒状のコア３の端面３ｂに、凸部４ａ、凸部４ｂ、凹部４ｃで構成される鍵部を形成し、コア３が装着されてコア３に巻回されたセパレータ２を繰出す繰出機に、凸部４ａが挿入される凹部６ａ、凸部４ｂが挿入される凹部６ｂ、凹部４ｃに挿入される凸部６ｃで構成される受部５を取り付けておく。このため、コア３と繰出機との関係が正しい場合は、鍵部と受部５とが適切に嵌め合わせられるため、コア３が繰出機に装着されるが、巻回されるセパレータの種類が異なる場合など、コアと繰出機との関係が正しくない場合は、鍵部と受部５とが適切に嵌め合わせられないため、コア３が繰出機に装着されない。【選択図】図２
0003167815.tif 000002
【実用新案登録請求の範囲】
【請求項１】
シート状物が巻回される略円筒状のコアであって、
巻回される前記シート状物を識別する鍵部を有する、コア。
【請求項２】
前記鍵部は、前記シート状物を繰り出す繰出機に当接される前記コアの端面を凹凸に形成してなる、請求項１に記載のコア。
【請求項３】
前記鍵部は、前記シート状物を繰り出す繰出機から読み出される前記シート状物の識別情報である、請求項１に記載のコア。
【請求項４】
前記識別情報は、電気的、磁気的又は光学的な信号である、請求項３に記載のコア。
【請求項５】
請求項１〜４の何れか一項に記載のコアであって、
前記シート状物がリチウムイオン２次電池に用いるセパレータである、リチウムイオン２次電池用セパレータコア。
【考案の詳細な説明】
【技術分野】
【０００１】
本考案は、リチウムイオン２次電池に使用されるセパレータ等のシート状物が巻回されるコアに関する。
【背景技術】
【０００２】
従来、リチウムイオン２次電池に使用されるセパレータが巻回されるコアは、ＡＢＳや紙などの素材を用いて、端面が平坦な略円筒状に形成されている（例えば、特許文献１参照）。
【先行技術文献】
【特許文献】
【０００３】
【特許文献１】特開２００９−００４２１８号公報
【考案の概要】
【考案が解決しようとする課題】
【０００４】
ところで、リチウムイオン２次電池を生産する際は、まず、セパレータが巻回されたコアを繰出機に装着する。そして、この繰出機を駆動してコアからセパレータを繰出すことにより、リチウムイオン２次電池の生産が行われる。
【０００５】
近年、リチウムイオン２次電池の容量や形状等の種類が増加していることから、リチウムイオン２次電池の生産工程でも、数種類のセパレータが用いられている。このため、リチウムイオン２次電池を生産する際に、セパレータの種類を間違えてしまうという問題があった。
【０００６】
リチウムイオン２次電池は、その電気容量の高さから様々な電子機器に使用されているが、小さな容積に大きなエネルギーを詰め込むため、安全性を維持するために極めて慎重に生産する必要がある。このため、電池構成部材であるセパレータの間違いは製品の安全性の面から大きな問題になる。
【０００７】
そこで、本考案は、上述のような問題点を解決するために成されたものであり、繰出機への誤装着を防止することができるコアを提供することを目的とする。
【課題を解決するための手段】
【０００８】
本考案に係るコアは、シート状物が巻回される略円筒状のコアであって、巻回されるシート状物を識別する鍵部を有する。本考案に係るコアによれば、巻回されるシート状物を識別する鍵部を有するため、この鍵を検出することで、コアに巻回されているシート状物を識別することができる。これにより、繰出機への誤装着を防止することができる。
【０００９】
そして、鍵部は、シート状物を繰り出す繰出機に当接されるコアの端面を凹凸に形成してなることが好ましい。このように構成すれば、間違ったコアが繰出機に装着されるのを物理的に防止できるため、繰出機に対するコアの装着ミスを確実に防止することができる。
【００１０】
一方、鍵部は、シート状物を繰り出す繰出機から読み出されるシート状物の識別情報であることとしてもよい。このように構成すれば、繰出機がコアから識別情報を読み出すことで、コアに巻回されたシート状物を識別することができるため、繰出機に対するコアの装着ミスを防止することができる。
【００１１】
この場合、識別情報は、電気的、磁気的又は光学的な信号であることが好ましい。これにより、繰出機は、容易に識別情報を読み出すことが可能となる。
【００１２】
本考案に係るリチウムイオン２次電池用セパレータコアは、上記の何れかに記載のコアであって、シート状物がリチウムイオン２次電池に用いるセパレータである。本考案に係るリチウムイオン２次電池用セパレータコアによれば、巻回されるシート状物を識別する鍵部を有するため、繰出機への誤装着を防止することができる。これにより、リチウムイオン２次電池の生産の際に、誤って他の種類の電池に使用されるセパレータが繰出機から繰出されるのを防止することができる。
【考案の効果】
【００１３】
本考案によれば、繰出機への誤装着を防止することができる。
【図面の簡単な説明】
【００１４】
【図１】従来のリチウムイオン２次電池用セパレータコアを示す斜視図である。
【図２】第１の実施形態に係るリチウムイオン２次電池用セパレータコアを示す斜視図である。
【図３】第２の実施形態に係るリチウムイオン２次電池用セパレータコアを示す斜視図である。
【図４】第３の実施形態に係るリチウムイオン２次電池用セパレータコアを示す斜視図である。
【図５】第４の実施形態に係るリチウムイオン２次電池用セパレータコアを示す斜視図である。
【考案を実施するための形態】
【００１５】
以下、図面を参照して、本考案の好適な実施形態について説明する。なお、以下の説明において、同一又は相当部分には同一符号を付すこととする。
【００１６】
まず、図１を参照して、従来のリチウムイオン２次電池用セパレータコアについて説明する。なお、以下の説明では、リチウムイオン２次電池用セパレータコアを、単にコアとも言う。
【００１７】
図１は、従来のリチウムイオン２次電池用セパレータコアを示す斜視図である。図１に示すように、従来のコア１は、単純な円筒状に形成されている。このコア１は、胴部を構成する外周面１ａに、リチウムイオン２次電池に用いるセパレータ２が巻回されており、両端面１ｂが、平坦な平面状に形成されている。なお、コア１は、寸法により制限されるものではないが、小型のリチウムイオン２次電池用途として、内径が５０ｍｍ〜１００ｍｍ、外径が８０ｍｍ〜５００ｍｍのものが使用されており、大型のリチウムイオン２次電池用途として、内径が５０ｍｍ〜４００ｍｍ、外径が８０ｍｍ〜８００ｍｍのものが使用されている。
【００１８】
［第１の実施形態］
次に、図２を参照して、第１の実施形態に係るリチウムイオン２次電池用セパレータコアについて詳しく説明する。図２は、第１の実施形態に係るリチウムイオン２次電池用セパレータコアを示す斜視図である。
【００１９】
図２に示すように、第１の実施形態に係るコア３は、略円筒状に形成されている。このコア３は、胴部を構成する外周面３ａに、リチウムイオン２次電池に用いるセパレータ２が巻回されている。このため、コア３は、巻き芯コアとも称される。そして、コア３の少なくとも一方の端面３ｂに、鍵部４が形成されている。
【００２０】
鍵部４は、コア３に巻回されるセパレータ２を識別する識別情報として機能するものである。すなわち、鍵部４は、端面３ｂに凹凸を形成し、この凹凸の組合せ、形状、配置などにより、巻回されるセパレータ２に関する情報を示すものである。セパレータ２に関する情報には、例えば、セパレータ２の種類などが含まれる。第１の実施形態では、鍵部４として、凸部４ａと、凸部４ｂと、凹部４ｃとを形成するものとする。
【００２１】
凸部４ａ及び凸部４ｂは、端面３ｂの一部を端面３ｂの垂直方向に突出させたものである。なお、凸部４ａ及び凸部４ｂの形状や高さなどは、適宜設定される。凹部４ｃは、端面３ｂの一部を端面３ｂの垂直方向に窪ませたものである。なお、凹部４ｃの形状や深さなどは、適宜設定される。
【００２２】
一方、コア３が装着されてコア３に巻回されたセパレータ２を繰出す繰出機（不図示）には、鍵部４が嵌め合わされる受部５を取り付けておく。
【００２３】
受部５は、コア３が繰出機に装着される際に、コア３の端面３ｂが当接される位置に設置されている。この受部５は、鍵部４の凹凸形状に適合する形状に形成されている。すなわち、受部５には、鍵部４の凸部４ａに対応する位置に配置されて凸部４ａが挿入される凹部６ａと、鍵部４の凸部４ｂに対応する位置に配置されて凸部４ｂが挿入される凹部６ｂと、鍵部４の凹部４ｃに対応する位置に配置されて凹部４ｃに挿入される凸部６ｃと、が形成されている。
【００２４】
このため、コア３と繰出機との対応関係が正しい場合は、鍵部４と受部５とが適切に嵌め合わされるため、コア３が繰出機に装着される。一方、巻回されるセパレータの種類が異なる場合など、コア３と繰出機との対応関係が正しくない場合は、鍵部４と受部５とが適切に嵌め合わされないため、コア３が繰出機に装着されない。
【００２５】
このように、本実施形態に係るコア３によれば、端面３ｂに鍵部４が形成されているため、繰出機に鍵部４に対応する受部５を設置することで、間違ったコアが繰出機に装着されるのを物理的に防止することができる。これにより、コアの装着ミスを確実に防止することができる。
【００２６】
［第２の実施形態］
次に、図３を参照して第２の実施形態に係るコアについて説明する。図３は、第２の実施形態に係るリチウムイオン２次電池用セパレータコアを示す斜視図である。なお、第２の実施形態に係るコア７は、基本的に第１の実施形態に係るコア３と同様であり、鍵部の形状のみ相違するものである。
【００２７】
図３に示すように、第２の実施形態に係るコア７は、略円筒状に形成されている。このコア７は、胴部を構成する外周面７ａに、リチウムイオン２次電池に用いるセパレータ２が巻回されている。そして、コア７の少なくとも一方の端面７ｂに、凹部８ａ、凹部８ｂ及び凹部８ｃの鍵部８が形成されている。なお、凹部８ａ〜凹部８ｃは、端面７ｂの一部を端面７ｂの垂直方向に窪ませたものである。
【００２８】
一方、コア７が装着されてコア７に巻回されたセパレータ２を繰出す繰出機（不図示）には、鍵部８が嵌め合わされる受部９を取り付けておく。
【００２９】
受部９は、コア７が繰出機に装着される際に、コア７の端面７ｂが当接される位置に設置されている。この受部９は、鍵部８の凹形状に適合する凸形状に形成されている。すなわち、受部９には、鍵部８の凹部８ａに対応する位置に配置されて凹部８ａに挿入される凸部１０ａと、鍵部８の凹部８ｂに対応する位置に配置されて凹部８ｂに挿入される凸部１０ｂと、鍵部８の凹部８ｃに対応する位置に配置されて凹部８ｃに挿入される凸部１０ｃと、が形成されている。
【００３０】
このため、コア７と繰出機との対応関係が正しい場合は、鍵部８と受部９とが適切に嵌め合わされるため、コア７が繰出機に装着される。一方、巻回されるセパレータの種類が異なる場合など、コアと繰出機との対応関係が正しくない場合は、鍵部８と受部９とが適切に嵌め合わされないため、コア７が繰出機に装着されない。
【００３１】
このように、鍵部に形成する凹凸形状を変更しても、第１の実施形態と同様に、間違ったコアが繰出機に装着されるのを物理的に防止することができる。
【００３２】
［第３の実施形態］
次に、図４を参照して第３の実施形態に係るコアについて説明する。図４は、第３の実施形態に係るリチウムイオン２次電池用セパレータコアを示す斜視図である。なお、第３の実施形態に係るコア１１は、基本的に第２の実施形態に係るコア７と同様であり、コアの径のみ相違するものである。
【００３３】
図４に示すように、第３の実施形態に係るコア１１は、セパレータ２の走行を安定させるためにコア外径を大径化したものである。このコア１１は、内側円筒部１１ａと外側円筒部１１ｂとが同心円状に配置されるとともに、放射状に延びる連結壁により内側円筒部１１ａと外側円筒部１１ｂとが連結された二重円筒状に形成されている。このコア１１は、内側円筒部１１ａが繰出機に装着され、胴部を構成する外側円筒部１１ｂの外周面１１ｃに、リチウムイオン２次電池に用いるセパレータ２が巻回されている。そして、内側円筒部１１ａの少なくとも一方の端面１１ｄに、凹部１２ａ、凹部１２ｂ及び凹部１２ｃの鍵部１２が形成されている。なお、凹部１２ａ〜凹部１２ｃは、第２の実施形態と同様に、端面１１ｄの一部を端面１１ｄの垂直方向に窪ませたものである。
【００３４】
一方、コア１１が装着されてコア１１に巻回されたセパレータ２を繰出す繰出機（不図示）には、鍵部１２が嵌め合わされる受部１３を取り付けておく。
【００３５】
受部１３は、コア１１が繰出機に装着される際に、内側円筒部１１ａの端面１１ｄが当接される位置に設置されている。この受部１３は、鍵部１２の凹形状に適合する凸形状に形成されている。すなわち、受部１３には、鍵部１２の凹部１２ａ〜凹部１２ｃに対応する位置に配置されて凹部８ａ〜凹部１２ｃに挿入される凸部１４ａ〜凸部１４ｃが形成されている。
【００３６】
このため、コア１１と繰出機との対応関係が正しい場合は、鍵部１２と受部１３とが適切に嵌め合わされるため、コア１１が繰出機に装着される。一方、巻回されるセパレータの種類が異なる場合など、コアと繰出機との対応関係が正しくない場合は、鍵部１２と受部１３とが適切に嵌め合わされないため、コア１１が繰出機に装着されない。
【００３７】
このように、コアの径が変更されても、第１及び第２の実施形態と同様に、間違ったコアが繰出機に装着されるのを物理的に防止することができる。
【００３８】
［第４の実施形態］
次に、図５を参照して第４の実施形態に係るコアについて説明する。図５は、第４の実施形態に係るリチウムイオン２次電池用セパレータコアを示す斜視図である。
【００３９】
図５に示すように、第４の実施形態に係るコア１５は、略円筒状に形成されている。このコア１５は、胴部を構成する外周面１５ａに、リチウムイオン２次電池に用いるセパレータ２が巻回されている。そして、コア１５に、ＩＣタグ１６が取り付けられている。
【００４０】
ＩＣタグ１６は、ＲＦＩＤ（Radio Frequency Identification）の一種であり、後述する非接触型ＩＣリーダから送信される電波信号を受けると、内蔵ＩＣに書き込まれている識別情報を応答信号として送信するものである。このＩＣタグ１６には、コア１５に巻回されるセパレータ２に関する情報が識別情報として記録されている。セパレータ２に関する情報には、例えば、セパレータ２の種類などが含まれる。このＩＣタグ１６は、コア１５の任意の場所に取り付けることが可能であるが、後述する非接触型ＩＣリーダとの離間距離を縮めるためにも、コア１５の端面１５ｂに露出させるか、この端面１５ｂに近接した位置に取り付けることが好ましい。
【００４１】
一方、コア１５が装着されてコア１５に巻回されたセパレータ２を繰出す繰出機（不図示）には、ＩＣタグ１６に電波信号を送信して、ＩＣタグ１６から書き込まれている識別情報を読み出す非接触型ＩＣリーダ１７が設置されている。なお、非接触型ＩＣリーダ１７には、繰出機で用いるセパレータの種類を登録しておく。
【００４２】
コア１５が繰出機に装着されると、又は、コア１５が繰出機に装着されようとすると、非接触型ＩＣリーダ１７は、コア１５に取り付けられたＩＣタグ１６に電波信号を送信して、ＩＣタグ１６から書き込まれている識別情報を読み出す。そして、非接触型ＩＣリーダ１７は、この読み出した識別情報から、当該コア１５に巻回されているセパレータ２の種類を特定し、この特定したセパレータ２の種類が登録したセパレータの種類と異なれば、予め設定された処理を行う。この処理は、例えば、コア１５が間違っている旨をユーザに通知する処理や、繰出機の駆動を停止する処理などがある。なお、ユーザへの通知方法は、例えば、警告音や警告表示などにより行うことができる。
【００４３】
このように、識別情報が書き込まれたＩＣタグ１６をコア１５に取り付けておけば、このＩＣタグ１６に書き込まれている識別情報を読み出すことで、コア１５に巻回されたセパレータ２を識別することができるため、繰出機に対するコア１５の装着ミスを防止することができる。
【００４４】
以上、本考案の好適な実施形態について説明したが、本考案は上記実施形態に限定されるものではない。例えば、上記実施形態では、コアに巻回されるシート状物は、リチウムイオン２次電池に用いるセパレータ２であるものとして説明したが、その他の電池に用いるセパレータであってもよく、電池とは関係のない様々なシート状物であってもよい。
【００４５】
また、第１〜第３の実施形態では、コアの端面に形成する凸部及び凹部により鍵部を形成するものとして説明したが、コアに巻回されるセパレータを識別することができれば、如何なる手段により鍵部を形成してもよい。
【００４６】
また、第４の実施形態では、識別情報が書き込まれたＩＣタグ１６をコア１５に取り付けるものとして説明したが、識別情報が繰出機側から読み出すことができるものであれば、如何なるものに識別情報を書き込んでコア１５に取り付けてもよい。また、ＩＣタグ１６に書き込まれている識別情報の信号形態は、繰出機側から読み出すことができれば如何なる形態の信号であってもよく、例えば、電気的、磁気的又は光学的な信号であってもよい。
【符号の説明】
【００４７】
１…コア、１ａ…外周面、１ｂ…両端面、２…セパレータ、３…コア、３ａ…外周面、３ｂ…端面、４…鍵部、４ａ…凸部、４ｂ…凸部、４ｃ…凹部、５…受部、６ａ…凹部、６ｂ…凹部、６ｃ…凸部、７…コア、７ａ…外周面、７ｂ…端面、８…鍵部、８ａ…凹部、８ｂ…凹部、８ｃ…凹部、９…受部、１０ａ…凸部、１０ｂ…凸部、１０ｃ…凸部、１１…コア、１１ａ…内側円筒部、１１ｂ…外側円筒部、１１ｃ…外周面、１１ｄ…端面、１２…鍵部、１２ａ…凹部、１２ｂ…凹部、１２ｃ…凹部、１３…受部、１４ｃ…凸部、１５…コア、１５ａ…外周面、１５ｂ…端面、１６…ＩＣタグ、１７…非接触型ＩＣリーダ。
【図１】
0003167815.tif 000003
【図２】
0003167815.tif 000004
【図３】
0003167815.tif 000005
【図４】
0003167815.tif 000006
【図５】
0003167815.tif 000007